(57)【特許請求の範囲】
【請求項１】
車体前面を構成するフロントバンパの後方に配置される車体構造部材に固定され車幅方向に延びるラジエータサポートメンバと、該ラジエータサポートメンバに固定され車幅方向に延びるアブソーバとを含む車体前部構造において、
前記アブソーバは、
上方から見て前記ラジエータサポートメンバに重なっていて該ラジエータサポートメンバの下側に固定される後方部と、
前記後方部の前端に連続していて前記ラジエータサポートメンバよりも車両前方側に位置する前方部と、
前記前方部における左右対称な位置に配置されていて前記ラジエータサポートメンバに向かって車両後方に延び後端が該ラジエータサポートメンバの前面に対し近接配置される複数の突張部とを含み、
前記ラジエータサポートメンバは、前面と、該前面の下部から車両前方に延びるフランジとを有し、
前記突張部の後端は、前記ラジエータサポートメンバの前方且つ前記フランジの上方の空間に位置することを特徴とする車体前部構造。
【請求項２】
前記突張部の各々は、前記アブソーバの底面から上下方向に延びる縦壁と、該縦壁の上部から前記ラジエータサポートメンバに向かって車両後方に延びる横壁とからなり、側方から見た断面が略Ｌ字の鉤形状を有していることを特徴とする請求項１に記載の車体前部構造。
【請求項３】
前記突張部は、前記前方部の後端近傍に配置されていることを特徴とする請求項１または２に記載の車体前部構造。
【請求項４】
当該車体前部構造は、前記アブソーバの上方に配置され下部が前記ラジエータサポートメンバに固定されるラジエータシュラウドを含み、
前記ラジエータシュラウドは、下方に向かって延びる支柱形状を有し、
前記支柱形状は、前記突張部よりも前方で前記アブソーバの前方部に当接または近接していることを特徴とする請求項１から３のいずれか１項に記載の車体前部構造。
【請求項５】
前記支柱形状は、前記アブソーバの前方部を下方に貫通した状態で該支柱形状が該前方部に当接または近接していることを特徴とする請求項４に記載のアブソーバ。
【発明の詳細な説明】
【技術分野】
【０００１】
本発明は、車体前面を構成するフロントバンパの後方に配置される車体構造部材に固定され車幅方向に延びるラジエータサポートメンバと、ラジエータサポートメンバに固定され車幅方向に延びるアブソーバとを含む車体前部構造に関するものである。
【背景技術】
【０００２】
車両前部では、歩行者の脚部の保護を目的として、車体前面を構成する意匠部品であるフロントバンパ（バンパカバーと称されることもある）の内側に、衝撃吸収材（以下、アブソーバと称する）を設定することがある（例えば特許文献１）。特許文献１では、衝突時に歩行者の脚部の車体下部への進入をアブソーバ（突出部材）によって抑制することにより、歩行者の脚部の局所的な曲がりを低減することができるとしている。
【先行技術文献】
【特許文献】
【０００３】
【特許文献１】特開２００６−１９３０７８号公報
【発明の概要】
【発明が解決しようとする課題】
【０００４】
ここで、特許文献１のようにアブソーバが水平に設定される場合、上述したように歩行者の脚部の車体下部への進入を好適に防ぐことができると考えられる。しかしながら、車両では、意匠や設計の都合があるため、すべての車種において特許文献１のようにアブソーバを水平に配置できるとは限らず、アブソーバが傾斜した状態で取り付けられることもある。すると、衝突時の荷重によってアブソーバが移動または変形しやすくなり、上述した効果が低下してしまうことが懸念される。したがって、特許文献１のような構成の場合、上述した効果を得られるのは限られた車種だけになってしまい、より多くの車種において適用することができるよう更なる改善が求められていた。
【０００５】
本発明は、このような課題に鑑み、アブソーバが傾斜した状態で取り付けられる車種であっても、歩行者の脚部の車体下部への進入を防ぐことができ、歩行者の脚部の保護性能を高めることが可能な車体前部構造を提供することを目的としている。
【課題を解決するための手段】
【０００６】
上記課題を解決するために、本発明にかかる車体前部構造の代表的な構成は、車体前面を構成するフロントバンパの後方に配置される車体構造部材に固定され車幅方向に延びるラジエータサポートメンバと、ラジエータサポートメンバに固定され車幅方向に延びるアブソーバとを含む車体前部構造において、アブソーバは、上方から見てラジエータサポートメンバに重なっていてラジエータサポートメンバの下側に固定される後方部と、後方部の前端に連続していてラジエータサポートメンバよりも車両前方側に位置する前方部と、前方部における左右対称な位置に配置されていてラジエータサポートメンバに向かって車両後方に延び後端がラジエータサポートメンバの前面に対し近接配置される複数の突張部とを含むことを特徴とする。
【０００７】
上記構成によれば、アブソーバに設けられている突張部の後端が前面に近接配置されることで、かかる突張部がラジエータサポートメンバに対して突っ張ることにより、アブソーバの移動や変形を抑制することができる。これにより、アブソーバが傾斜した状態で取り付けられる車種であっても歩行者の脚部の車体下部への進入を好適に防ぐことができ、歩行者の脚部の保護性能を高めることが可能となる。
【０００８】
上記突張部の各々は、アブソーバの底面から上下方向に延びる縦壁と、縦壁の上部からラジエータサポートメンバに向かって車両後方に延びる横壁とからなり、側方から見た断面が略Ｌ字の鉤形状を有しているとよい。かかる構成によれば、縦壁から車両後方に延びる横壁がラジエータサポートメンバに対して突っ張ることにより、上述した効果を得ることが可能となる。
【０００９】
上記突張部は、前方部の後端近傍に配置されているとよい。これにより、前方部と後方部の境界近傍に突張部が配置されるため、かかる境界を補強することができ、前方部の変形をより効果的に防ぐことが可能となる。
【００１０】
上記ラジエータサポートメンバは、前面と、前面の下部から車両前方に延びるフランジとを有し、突張部の後端は、ラジエータサポートメンバの前方且つフランジの上方の空間に位置するとよい。これにより、前方部の変形および移動をより好適に抑制することができ、上述した効果を高めることが可能となる。
【００１１】
当該車体前部構造は、アブソーバの上方に配置され下部がラジエータサポートメンバに固定されるラジエータシュラウドを含み、ラジエータシュラウドは、下方に向かって延びる支柱形状を有し、支柱形状は、突張部よりも前方でアブソーバの前方部に当接または近接しているとよい。これにより、アブソーバは、後方部において車体構造部材に支持されつつ、車体構造部材よりも前方においてラジエータシュラウドによって支持される。すなわち、アブソーバは、より荷重の入力に近い位置においてラジエータシュラウドによって支持されるため、アブソーバの変形を好適に抑制することができ、上述した効果を確実に得ることが可能となる。
【００１２】
上記支柱形状は、アブソーバの前方部を下方に貫通した状態で支柱形状が該前方部に当接または近接しているとよい。かかる構成によれば、ラジエータシュラウドは、アブソーバの前方部を貫通することによりアブソーバに対して位置決めされるものの、アブソーバには直接固定されない。したがって、ラジエータシュラウドとアブソーバとの位置決めをしつつ、組付け時の誤差を吸収することができる。またラジエータシュラウドとアブソーバとを直接固定しないことにより、応力集中の発生を抑制し、変形を好適に防ぐことが可能となる。
【発明の効果】
【００１３】
本発明によれば、アブソーバが傾斜した状態で取り付けられる車種であっても、歩行者の脚部の車体下部への進入を防ぐことができ、歩行者の脚部の保護性能を高めることが可能な車体前部構造を提供することができる。
【図面の簡単な説明】
【００１４】
【図１】本実施形態にかかる車体前部構造を例示する図である。
【図２】図１のアブソーバを異なる角度から観察した図である。
【図３】図１のＡ−Ａ断面図である。
【図４】図１の拡大図である。
【図５】図４（ａ）の断面図である。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。またすべての図面にわたって車両前方、車両後方、上方および下方をそれぞれ矢印Ｆ、Ｂ、Ｕ、Ｄで示す。
【００１６】
図１は、本実施形態にかかる車体前部構造１００を例示する図であり、車体前部構造１００を前方から観察した状態を図示している。図２は、図１のアブソーバ１５０を異なる角度から観察した図である。図２（ａ）は図１のアブソーバ１５０を上方から観察した状態を図示していて、図２（ｂ）は図１のアブソーバ１５０を下方から観察した状態を図示している。図３は、図１のＡ−Ａ断面図である。
【００１７】
なお、理解を容易にするために、図３では、図１に図示していないフロントバンパ１２０を図示している。また本実施形態では、車体構造部材としてラジエータサポートブレース１３０を例示するが、これに限定するものではなく、フロントバンパ１２０の後方に配置される他の部材を車体構造部材とすることも可能である。
【００１８】
図１〜図３に示すように、本実施形態の車体前部構造１００は、車幅方向に延びるラジエータサポートメンバ１１０およびアブソーバ１５０を含んで構成される。図３に示すように、車体の前面はフロントバンパ１２０によって構成され、その後方には車体構造部材であるラジエータサポートブレース１３０が配置されている。ラジエータサポートメンバ１１０は車体構造部材であるラジエータサポートブレース１３０に固定されている。図２（ｂ）および図３に示すように、アブソーバ１５０は、ラジエータサポートメンバ１１０に下方から固定されている。
【００１９】
図４は、図１の拡大図である。図４（ａ）は、図１のアブソーバ１５０の右側（図面上は左側）の端部近傍を車両後方から観察した状態を図示していて、図４（ｂ）は、図１のアブソーバ１５０の右側の端部近傍を車両前方から観察した状態を図示している。図５は、図４（ａ）の断面図であり、図５（ａ）は図４（ａ）のＢ−Ｂ断面図であり、図５（ｂ）は図４（ａ）のＣ−Ｃ断面図である。なお、理解を容易にするために、図４（ｂ）では、図４（ａ）で示したラジエータシュラウド１６０を不図示としている。
【００２０】
図５（ａ）および（ｂ）に示すように、アブソーバ１５０は、前方部１５２および後方部１５４を含んで構成される。後方部１５４は、図２（ａ）に示すように上方から見てラジエータサポートメンバ１１０に重なっていて、図２（ｂ）に示すようにラジエータサポートメンバ１１０の下側に固定される。前方部１５２は、後方部１５４の前端に連続していて、ラジエータサポートメンバ１１０よりも車両前方側に位置する。
【００２１】
図５（ａ）に示すように、本実施形態では、前方部１５２は、底面１５２ａが、車両前方に向かうにしたがって上方に傾斜する傾斜面となっている。底面１５２ａからは、車両前後方向に延びるリブ１５２ｂおよび車幅方向に延びるリブ１５２ｃがそれぞれ複数立設している。これにより、前方部１５２は、内部空間がリブ１５２ｂ・１５２ｃによって仕切られ、中空となる。
【００２２】
図１に示すように、本実施形態の特徴として、１００では、前方部１５２における左右対称な位置に突張部１５６が配置されている。突張部１５６は、後端１５６ｃがラジエータサポートメンバ１１０の前面１１０ａに対し近接配置されている。これにより、ラジエータサポートメンバ１１０に向かって車両後方に延び車両前方から力を受けると、突張部１５６がラジエータサポートメンバ１１０に対して突っ張ることによりアブソーバ１５０の移動や変形を抑制する。
【００２３】
上述したように、車体前部構造１００では、前方部１５２の内部空間は中空である。そこで本実施形態では、図５（ａ）に示すように、突張部１５６を、アブソーバ１５０の底面から前方部１５２の内部空間を通って上下方向に延びる縦壁１５６ａと、縦壁１５６ａの上部からラジエータサポートメンバ１１０に向かって車両後方に延びる横壁１５６ｂとから構成している。これにより、突張部１５６は、側方から見た断面が略Ｌ字の鉤形状となる。
【００２４】
上記構成によれば、前方からの荷重がかかった際に突張部１５６、特にその横壁１５６ｂがラジエータサポートメンバ１１０に対して突っ張ることにより、アブソーバ１５０の移動や変形を抑制することができる。したがって、アブソーバ１５０の前方部１５２が傾斜している状態、すなわちアブソーバ１５０が傾斜した状態で取り付けられる車種であっても歩行者の脚部の車体下部への進入を好適に防ぐことができ、歩行者の脚部の保護性能を高めることが可能となる。
【００２５】
また本実施形態では、図５（ａ）に示すように、突張部１５６を前方部１５２の後端近傍に配置している。すなわち突張部１５６は、前方部１５２と後方部１５４の境界近傍に配置されている。これにより、前方部１５２と後方部１５４の境界を補強することができ、ひいてはアブソーバ１５０の変形をより効果的に防ぐことが可能となる。
【００２６】
ここで本実施形態では、図５（ａ）に示すようにラジエータサポートメンバ１１０は、前面１１０ａの下部から車両前方に延びるフランジ１１２を有する。そして、上述した突張部１５６の横壁１５６ｂは、フランジ１１２の上方でラジエータサポートメンバ１１０の前面１１０ａに向かって延びている。
【００２７】
上記構成によれば、アブソーバ１５０では、後方部１５４がラジエータサポートメンバ１１０の下方に配置され、突張部１５６の横壁１５６ｂがラジエータサポートメンバ１１０の上方に配置される。すなわちラジエータサポートメンバ１１０のフランジ１１２は、アブソーバ１５０によって上下方向から挟まれた状態となる。これにより、衝突時にアブソーバ１５０の前方部１５２に荷重がかかった際、かかる前方部１５２が車両後方に向かって持ち上がるように回転する動きが規制される。したがって、アブソーバ１５０の移動をより効果的に抑制することが可能となる。
【００２８】
また本実施形態では、突張部１５６の後端１５６ｃは、ラジエータサポートメンバ１１０の前方且つフランジ１１２の上方の空間Ｓに位置する。換言すれば、突張部１５６の後端１５６ｃは、前面１１０ａとフランジ１１２部によって囲まれる範囲内に配置されている。これにより、ラジエータサポートメンバ１１０が前面１１０ａおよびフランジ１１２によって突張部１５６を受け止めることができるため、アブソーバ１５０の前方部１５２の移動および変形を好適に防ぐことが可能となる。更に、アブソーバ１５０がラジエータサポートメンバ１１０のフランジ１１２を上下から挟み込むことにより、組付時の位置決め（仮固定）が容易になる。これにより、取付精度を高めることができ、且つ作業性の向上を図ることが可能となる。
【００２９】
ここで本実施形態では、図３に示すように、アブソーバ１５０の上方にラジエータシュラウド１６０が配置されている。かかるラジエータシュラウド１６０は、下部がラジエータサポートメンバ１１０に固定され、上部がフロントバンパ１２０に固定されている。
【００３０】
図５（ｂ）に示すように、本実施形態の車体前部構造１００では、ラジエータシュラウド１６０に、下方に向かって延びる支柱形状１６２を設けている。この支柱形状１６２は、突張部１５６よりも前方でアブソーバの前方部１５２に当接している。これにより、アブソーバ１５０は、後方部１５４がラジエータサポートブレース１３０に支持され、かかるラジエータサポートブレース１３０よりも前方においてラジエータシュラウド１６０に支持される。すなわちアブソーバ１５０は、より荷重の入力に近い位置においてラジエータシュラウド１６０に支持される。したがって、アブソーバ１５０の変形を好適に抑制することができ、上述した効果を確実に得ることが可能となる。
【００３１】
特に本実施形態では、図４（ｂ）に示すように、アブソーバ１５０の前方部１５２に貫通孔１５８を形成している。これにより、図５（ｂ）に示すように、支柱形状１６２は、貫通孔に挿通され、アブソーバ１５０の前方部１５２を下方に貫通した状態となり、支柱形状１６２が前方部１５２に当接する。
【００３２】
上記構成によれば、ラジエータシュラウド１６０は、アブソーバ１５０の前方部１５２を貫通することによりアブソーバ１５０に対して位置決めされる。このとき、ラジエータシュラウド１６０はアブソーバ１５０には直接固定されないため、組付時の誤差を吸収することができる。またラジエータシュラウド１６０がアブソーバ１５０に直接固定されないことにより、応力集中の発生を抑制し、変形を好適に防ぐことが可能となる。
【００３３】
なお、本実施形態では、ラジエータシュラウド１６０の支柱形状１６２がアブソーバ１５０の前方部１５２に当接する構成を例示したが、これに限定するものではなく、それらが近接している構成としてもよい。また本実施形態では、図５（ａ）に示すように突張部１５６の横壁１５６ｂがラジエータサポートメンバ１１０の前面１１０ａに近接している構成を例示したが、これにおいても限定されず、横壁１５６ｂが前面１１０ａに当接している構成とすることも可能である。
【００３４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３５】
本発明は、に利用することができる。
【符号の説明】
【００３６】
１００…車体前部構造、１１０…ラジエータサポートメンバ、１１０ａ…前面、１１２…フランジ、１２０…フロントバンパ、１３０…ラジエータサポートブレース、１４０…バンパメンバ、１５０…アブソーバ、１５２…前方部、１５２ａ…底面、１５２ｂ…リブ、１５２ｃ…リブ、１５４…後方部、１５６…突張部、１５６ａ…縦壁、１５６ｂ…横壁、１６０…ラジエータシュラウド、１６２…支柱形状
【図１】
0006668797.tif 000002
【図２】
0006668797.tif 000003
【図３】
0006668797.tif 000004
【図４】
0006668797.tif 000005
【図５】
0006668797.tif 000006